(57)【要約】      （修正有）【課題】構造が簡単で、組立や修理が容易なハンド玩具を提供する。【解決手段】ケーシングの先端に２つの把持部材３，４が設けられ、ケーシングに付設された操作ボタン５が押し込まれた際にスライダ６１が前進し、梃子部材６２を所定方向に回動させることによって一方の把持部材３を他方の把持部材４に当接させるようにした。また、操作ボタン５、スライダ６１、梃子部材６２には初期位置への復元力が作用し、操作ボタン５から手を離すことによって初期位置へ復帰する。【選択図】図２
0003158153.tif 000002
【実用新案登録請求の範囲】
【請求項１】
ケーシングの前端に２つの把持部材が突出して設けられ、前記ケーシングの前後方向の中程に設けられた操作子の操作によって、前記２つの把持部材の先端部同士で外部物体を把持するように構成されたハンド玩具において、
前記操作子は、操作ボタンからなり、前記ケーシングの外周に対して出没する方向に動作可能で、初期位置への復元力に抗して人為的に該ケーシング内に没する方向に動作可能に構成され、
前記２つの把持部材の中で一方の把持部材は、第１の軸を中心に回動可能で、初期位置への復元力に抗した一方向の回動によって先端部が他方の把持部材の先端部に当接可能に構成され、
前記ケーシング内には、
前記ケーシングの前後方向に移動可能で、前記操作子が前記ケーシング内に没する方向へ動作した際に該操作子と互いに圧接されることによって初期位置への復元力に抗して前方へ移動するスライダと、
前記第１の軸、又は該第１の軸に平行な第２の軸を中心に回動可能で、前記スライダの前方への移動の際に該スライダと互いに圧接されることによって初期位置への復元力に抗する方向に回動して前記一方の把持部材を前記一方向に回動させる第１の梃子部材と、を備える、
ことを特徴とするハンド玩具。
【請求項２】
前記一方の把持部材には前記第１の軸を中心に一体に回動可能な第２の梃子部材が設けられ、前記第１の梃子部材は前記一方の把持部材とは独立に回動可能に構成され、前記第２の梃子部材は、前記第１の梃子部材の初期位置への復元力に抗する方向への回動の際に前記第１の梃子部材と互いに圧接されることによって前記一方の把持部材を前記一方向に回動させるように構成されていることを特徴とする請求項１に記載のハンド玩具。
【請求項３】
前記第１の梃子部材及び前記第２の梃子部材の圧接部の少なくとも一方は、外部物体の把持の際に生じる反力によって弾性変形可能に構成されていることを特徴とする請求項２に記載のハンド玩具。
【請求項４】
前記スライダ及び前記第１の梃子部材の圧接部の少なくとも一方は、外部物体の把持の際に生じる反力によって弾性変形可能に構成されていることを特徴とする請求項１から３いずれか一項に記載のハンド玩具。
【請求項５】
前端部は、人間の手を模した形状に構成され、前記一方の把持部材は人差し指を模した形状を有し、前記他方の把持部材は親指を模した形状を有していることを特徴とする請求項１から４いずれか一項に記載のハンド玩具。
【請求項６】
前記操作子は、前記ケーシングの前後方向に移動可能で、初期位置への復元力に抗して人為的に前方に移動するように構成され、
前記他方の把持部材は、第３の軸を中心に回動可能で、往復回動によって先端部を前記一方の把持部材の先端部と擦り合わせ可能となるように構成され、
前記スライダにはカムが形成され、
前記ケーシング内には、
前記第３の軸、又は該第３の軸に平行な第４の軸を中心に回動可能で、前記カムに係合する係合部分を有し、前記スライダの前方への移動によって前記一方の把持部材の先端部が他方の把持部材の先端部に当接した後に前記他方の把持部材を往復回動させる第３の梃子部材を備える、
ことを特徴とする請求項１から５いずれか一項に記載のハンド玩具。
【請求項７】
前記カムは、前側の直線状のカム穴と、この直線状のカム穴に連結された後側の波状のカム穴とから構成され、前記操作子が前記ケーシング内に没する方向に動作した際には、前記係合部分は前記直線状のカム穴に係合し、前記操作子が前記ケーシングの前方へ移動した際には、前記係合部分は前記直線状のカム穴及び前記波状のカム穴に順次に係合するように構成されていることを特徴とする請求項６に記載のハンド玩具。
【考案の詳細な説明】
【技術分野】
【０００１】
本考案は、ケーシングの前端に２つの把持部材が突出して設けられ、前記ケーシングに設けられた操作子の操作によって、前記２つの把持部材の先端部同士で外部物体を把持するように構成されたハンド玩具に関するものである。
【背景技術】
【０００２】
従来、円筒状ケーシングの一方端に２つの把持部材をそれぞれ回動自在に支持させ、その把持部材をケーシングの他方端に設けた操作手段によって、２つの把持部材を回動させることによって所望とする物を把持するハンド玩具が知られている（例えば、特許文献１）。
【先行技術文献】
【特許文献】
【０００３】
【特許文献１】特開平９−２９５２８７号公報
【考案の概要】
【考案が解決しようとする課題】
【０００４】
上記特許文献のハンドル玩具は、長軸状の中空体の一方端に操作レバーを配設し、他方端に一対の把持部材を回動自在に配設するとともに、操作レバーと把持部材とを複数本のばねを含む操作手段によって互いに連結して構成されているが、全体に構造が複雑であり、組立が困難であるとともに、分解修理も煩雑となるという問題がある。
【０００５】
本考案は、このような実情に鑑みてなされたもので、構造が簡単で、組立や修理が容易なハンド玩具を提供することを目的とする。
【課題を解決するための手段】
【０００６】
請求項１の考案は、
ケーシングの前端に２つの把持部材が突出して設けられ、前記ケーシングの前後方向の中程に設けられた操作子の操作によって、前記２つの把持部材の先端部同士で外部物体を把持するように構成されたハンド玩具において、
前記操作子は、操作ボタンからなり、前記ケーシングの外周に対して出没する方向に動作可能で、初期位置への復元力に抗して人為的に該ケーシング内に没する方向に動作可能に構成され、
前記２つの把持部材の中で一方の把持部材は、第１の軸を中心に回動可能で、初期位置への復元力に抗した一方向の回動によって先端部が他方の把持部材の先端部に当接可能に構成され、
前記ケーシング内には、
前記ケーシングの前後方向に移動可能で、前記操作子が前記ケーシング内に没する方向へ動作した際に該操作子と互いに圧接されることによって初期位置への復元力に抗して前方へ移動するスライダと、
前記第１の軸、又は該第１の軸に平行な第２の軸を中心に回動可能で、前記スライダの前方への移動の際に該スライダと互いに圧接されることによって初期位置への復元力に抗する方向に回動して前記一方の把持部材を前記一方向に回動させる第１の梃子部材と、を備える、
ことを特徴とするハンド玩具である。
【０００７】
請求項２の考案は、請求項１に記載のハンド玩具において、前記一方の把持部材には前記第１の軸を中心に一体に回動可能な第２の梃子部材が設けられ、前記第１の梃子部材は前記一方の把持部材とは独立に回動可能に構成され、前記第２の梃子部材は、前記第１の梃子部材の初期位置への復元力に抗する方向への回動の際に前記第１の梃子部材と互いに圧接されることによって前記一方の把持部材を前記一方向に回動させるように構成されていることを特徴とする。
【０００８】
請求項３の考案は、請求項２に記載のハンド玩具において、前記第１の梃子部材及び前記第２の梃子部材の圧接部の少なくとも一方は、外部物体の把持の際に生じる反力によって弾性変形可能に構成されていることを特徴とする。
【０００９】
請求項４の考案は、請求項１から３いずれか一項に記載のハンド玩具において、前記スライダ及び前記第１の梃子部材の圧接部の少なくとも一方は、外部物体の把持の際に生じる反力によって弾性変形可能に構成されていることを特徴とする。
【００１０】
請求項５の考案は、請求項１から４いずれか一項に記載のハンド玩具において、前端部は、人間の手を模した形状に構成され、前記一方の把持部材は人差し指を模した形状を有し、前記他方の把持部材は親指を模した形状を有していることを特徴とする。
【００１１】
請求項６の考案は、請求項１から５いずれか一項に記載のハンド玩具において、
前記操作子は、前記ケーシングの前後方向に移動可能で、初期位置への復元力に抗して人為的に前方に移動するように構成され、
前記他方の把持部材は、第３の軸を中心に回動可能で、往復回動によって先端部を前記一方の把持部材の先端部と擦り合わせ可能となるように構成され、
前記スライダにはカムが形成され、
前記ケーシング内には、
前記第３の軸、又は該第３の軸に平行な第４の軸を中心に回動可能で、前記カムに係合する係合部分を有し、前記スライダの前方への移動によって前記一方の把持部材の先端部が他方の把持部材の先端部に当接した後に前記他方の把持部材を往復回動させる第３の梃子部材を備える、
ことを特徴とする。
【００１２】
請求項７の考案は、請求項６に記載のハンド玩具において、前記カムは、前側の直線状のカム穴と、この直線状のカム穴に連結された後側の波状のカム穴とから構成され、前記操作子が前記ケーシング内に没する方向に動作した際には、前記係合部分は前記直線状のカム穴に係合し、前記操作子が前記ケーシングの前方へ移動した際には、前記係合部分は前記直線状のカム穴及び前記波状のカム穴に順次に係合するように構成されていることを特徴とする。
【考案の効果】
【００１３】
請求項１及び２の考案によれば、操作子と一方の把持部材とがスライダ及び梃子部材によって連結されているので、構造簡素なハンド玩具を実現できる。
【００１４】
請求項３及び４の考案によれば、動力伝達機素が外部物体の把持の際に生じる反力によって弾性変形するので、把持力が緩和され、ポテトチップ等の壊れやすい物体をも把持することができる。
【００１５】
請求項５の考案によれば、一方の把持部材は人差し指を模した形状を有し、他方の把持部材は親指を模した形状を有するので、外部物体を把持した際に、恰も、操作者自身の人差し指と親指とで物体を摘んでいるかのようなイメージが醸し出されることになる。
【００１６】
請求項６及び７の考案によれば、一方の把持部材の先端部と他方の把持部材の先端部とが接触した状態で他方の把持部材が振動するので、一方の把持部材の先端部と他方の把持部材の先端部に付着したゴミや屑を効果的に除去することができる。
【図面の簡単な説明】
【００１７】
【図１】本考案に係るハンド玩具の実施形態の外観を示した斜視図である。
【図２】実施形態のケーシングに組み込まれた人差し指操作機構の斜視図である。
【図３】実施形態のケーシングに組み込まれた親指操作機構の斜視図である。
【図４】実施形態の操作ボタンとスライダとの連結部を側面図である。
【図５】実施形態の人差し指操作機構の一部を示す拡大斜視図である。
【図６】実施形態の親指操作機構の一部を示す拡大斜視図である。
【考案を実施するための形態】
【００１８】
図１には本考案に係るハンド玩具の実施形態の外観が示されている。
このハンド玩具１は、ケーシング２の前端に人差し指を模した把持部材３と親指を模した把持部材４とが設けられ、ケーシング２の中程に操作ボタン５が設けられた構造を有している。このハンド玩具１は、一般には、操作者がケーシング２の後端部を握り、把持部材３を上に、把持部材４を下にした状態で使用される。その際、操作者の親指又は人差し指は操作ボタン５に当てられる。
【００１９】
このハンド玩具１は、操作者によって操作ボタン５がケーシング２内に押し込まれると、把持部材３の先端部を把持部材４の先端部に接近する方向に動作させる仕組みとなっている。この仕組みによって、ハンド玩具１は外部物体を把持することができる。
また、ハンド玩具１は、操作者によって操作ボタン５がケーシング２の前方に移動させられると、把持部材３の先端部を把持部材４の先端部に接近する方向に動作させた後、外部物体を把持していない状態では把持部材３の先端部を把持部材４の先端部に当接させた状態を維持したまま、把持部材４の先端部を把持部材３の先端部に対して擦り合わせる仕組みとなっている。この仕組みによって、ハンド玩具１は、把持部材３の先端部や把持部材４の先端部に付着したゴミや屑を除去することができる。
以下、ハンド玩具１の構成を詳細に説明する。
【００２０】
（構成の詳細）
ケーシング２は、大別すると、３つの部分から構成されている。すなわち、ケーシング２は、人間の腕を模した円柱状の腕部分２１と、人間の手（人差し指及び親指を除く）を模した手部分２２と、操作者が握るための握持部２３を備えた構造となっている。このケーシング２は上下に２分割可能に構成され、中空に形成されている。
また、ケーシング２のうち人間の手首に相当する部分には台座１５が設けられている。この台座１５は、ハンド玩具１をテーブル等の上に置く際に、ハンド玩具１を横倒し状態で安定保持するためのものである。また、台座１５によって把持部材４がテーブル等に触れることが防止される。
【００２１】
ケーシング２には、把持部材３を操作するための人差し指操作機構６（図２参照）と、把持部材４を操作するための親指操作機構７（図３参照）とが設けられている。この人差し指操作機構６及び親指操作機構７は操作ボタン５の操作によって動作する。
【００２２】
人差し指操作機構６は、図２に示すように、操作ボタン５の押し込み動力をスライダ６１及び梃子部材６２を介して把持部材３に伝達して、把持部材３を操作するためのものである。この仕組みを具体的に説明する。
まず、操作ボタン５について説明すれば、図４に示すように、操作ボタン５はケーシング２の外周に対して出没する方向に動作可能に構成されている。一方、スライダ６１には、操作ボタン５に対応する部分に凹部６１ａが形成され、その凹部６１ａには前方に向けて上り勾配を持つ傾斜面６１ｂが形成されている。
操作ボタン５の下部はスライダ６１が初期位置にあるとき、操作ボタン５の傾斜面６１ｂの前端に当接し、操作者によって操作ボタン６が後述のコイルばね６１ｄの付勢力に抗して押し込まれると、操作ボタン５が傾斜面６１ｂを強く圧接してスライダ６１が前方に押し出される。つまり、操作ボタン５とスライダ６１とによって、直動カム機構が構成されている。
なお、この実施形態では、操作ボタン５の下部の傾斜面、及びスライダ６１の傾斜面６１ｂのうち一方は傾斜面でなくてもよい。要は、操作者によって操作ボタン５が押し込まれた際に、その押し込み方向と交差する方向にスライダ６１が移動することである。
スライダ６１は、図２及び図４に示すように、スライダ６１の後端部と握持部２３の内部の固定部とに掛けられたコイルばね６１ｄの付勢力によって初期位置（後退位置）に向けて付勢されている。スライダ６１の前方への移動はコイルばね６１ｄの付勢力に抗して行われる。
また、スライダ６１は前端部に押圧片６１ｅを備えている。押圧片６１ｅの先端にはカム面６１ｅ−１が形成されている。このカム面６１ｅ−１は傾斜面となっている。
【００２３】
一方、梃子部材６２は、図２及び図５に示すように、軸６２ａを中心に回動可能となっている。この梃子部材６２は、回動可能な本体部分６２ｂと、本体部分６２ｂに付設されたばね部分６２ｃと、把持部材３との連結部分６２ｄとを備えている。梃子部材６２は、スライダ６１の押圧片６１ｅのカム面６１ｅ−１が圧接されることによって、初期位置から軸６２ａを中心に一方向に回動する。これによって、梃子部材６２は把持部材３を操作する。
また、ばね部分６２ｃの外側の片６２ｃ−１は中板８に固定保持され、内側の片６２ｃ−２は本体部分６２ｂの側面に固定されている。このばね部分６２ｃは、弾性によって梃子部材６２を初期位置に復元させる働きをする。このばね部分６２ｃの代わりに捩れコイルばねやコイルばねを別途用いてもよい。
また、連結部分６２ｄには長穴が形成され、その長穴に、把持部材３と一体的に軸３３を中心に回動する梃子部材３１に付設されたピン３２が係合されている。したがって、把持部材３は、梃子部材６２の連結部分６２ｄがピン３２に圧接することによって、初期位置から軸３３を中心に一方向に回動する。なお、把持部材３の初期位置への復元は梃子部材６２のばね部分６２ｃの弾性によってなされる。
また、連結部分６２ｄは、外部物体の把持の際に生じる反力によって弾性変形するように構成されている。
【００２４】
親指操作機構７は、図３に示すように、操作ボタン５の前進動力をスライダ６１及び梃子部材７１を介して把持部材４に伝達して、把持部材４を操作するためのものである。この仕組みを具体的に説明する。
スライダ６１には、図４に示すように、カム面６１ｂの前端に起立壁６１ｆが形成されている。操作ボタン５の下部の前面はスライダ６１が初期位置にあるとき起立壁６１ｆに当接している。したがって、操作者によって操作ボタン５が前方に移動させられると、操作ボタン５によって起立壁６１ｆが押され、スライダ６１は前方へ移動することになる。
また、スライダ６１は、図３及び図６に示すように、押圧片６１ｅとスライダ本体との間にカム片６１ｇを備えている。カム片６１ｇには、後端側に波状のカム穴６１ｈ、先端側に直線状のカム穴６１ｉが形成されている。カム穴は溝又は孔によって画成されている。なお、カムとして、カム穴に代えてカム面を設けてもよい。この場合には、ばねを設けて、そのばねの付勢力によって従節（後述のピン（係合部）７１ｂ）を確実にカム面に当接させる確動カムとすることが好ましい。
【００２５】
一方、梃子部材７１は、図６に示すように、軸７１ａを中心に回動可能となっている。梃子部材７１は屈曲形成され、一方のアームにはカム穴６１ｈ，６１ｉに係合されるピン（係合部）７１ｂが付設されている。ピン７１ｂは初期位置では直線状のカム穴６１ｉの前端に位置している。
そして、操作ボタン５が押し込まれてスライダ６１が前方に移動したときには、直線状のカム穴６１ｉの後端側にピン７１ｂが相対移動する。この場合、梃子部材７１は動作しない。
一方、操作ボタン５が前方に移動させられてスライダ６１が前方に移動したときには、まず、直線状のカム穴６１ｉの後端側にピン７１ｂが相対移動し、その後に、波状のカム穴６１ｈの後端側までピン７１ｂが相対移動する。この場合、ピン７１ｂが直線状のカム穴６１ｉに係合しているときには梃子部材７１は動作しないが、ピン７１ｂが波状のカム面６１ｈに係合しているときはスライダ６１の移動によって梃子部材７１は軸７１ａを中心に往復回動する。
また、梃子部材７１の他方のアームは連結部分７１ｃとなっている。この連結部分７１ｃにはピン７１ｄが付設され、このピン７１ｄは、把持部材４と一体に軸４３を中心に回動する梃子部材４１に付設された孔に係合されている。したがって、把持部材４は、梃子部材７１の連結部分７１ｃのピン７１ｄが梃子部材４１に圧接されることによって、初期位置から軸４３を中心に往復回動する。
【００２６】
以上のように構成されたハンド部材によれば次のような効果が得られる。
第１に、操作ボタン５と把持部材３とがスライダ６１及び梃子部材６２によって連結されているので、構造簡素なハンド玩具１を実現できる。
第２に、連結部分６２ｄが外部物体の把持の際に生じる反力によって弾性変形するように構成されているで、把持力が緩和され、ポテトチップ等の壊れやすい物体をも把持することができる。
第３に、把持部材３は人差し指を模した形状を有し、把持部材４は親指を模した形状を有するので、外部物体を把持した際に、恰も、操作者自身の人差し指と親指とで物体を摘んでいるかのようなイメージが醸し出されることになる。
第４に、把持部材３の先端部と把持部材４の先端部とが接触した状態で把持部材４が振動するので、把持部材３の先端部と把持部材４の先端部に付着したゴミや屑を効果的に除去することができる。
【００２７】
以上、本考案の実施形態について説明したが、本考案は、かかる実施形態に限定されるものでなく、その要旨を逸脱しない範囲で種々の変形が可能である。
例えば、上記実施形態では、連結部分６２ｄが外部物体の把持の際に生じる反力によって弾性変形するように構成されていたが、把持部材３側のピン３２が弾性を有していてもよいし、スライダ６１の押圧片６１ｅのカム面６１ｅ−１が形成された部分、又は梃子部材６２が弾性を有していてもよい。
【００２８】
また、上記実施形態では、梃子部材６２と把持部材３とが別体で独立に回動するよう構成されていたが、梃子部材６２と把持部材３とが軸３３を中心に一体に回動するように構成されていてもよい。
【００２９】
また、上記実施形態では、梃子部材７１と把持部材４とが別体で独立に回動するよう構成されていたが、梃子部材７１と把持部材４とが軸４３を中心に一体に回動するように構成されていてもよい。
【符号の説明】
【００３０】
１  ハンド玩具
２  ケーシング
３，４  把持部材
３１，４１  梃子部材
５  操作ボタン
６  人差し指操作機構
６１  スライダ
６２  梃子部材
７  親指操作機構
７１  梃子部材
【図１】
0003158153.tif 000003
【図２】
0003158153.tif 000004
【図３】
0003158153.tif 000005
【図４】
0003158153.tif 000006
【図５】
0003158153.tif 000007
【図６】
0003158153.tif 000008